(57)【要約】【課題】印刷対象の画像のアレンジが一様になることを抑制する。【解決手段】並び換え部１０７が、ユーザが選択したテンプレート画像と関連する関連テンプレート画像を表示部１５０が優先的に表示するように、テンプレート画像の並びを換える並び換え処理を行う。【選択図】図１
2014123868.tif 000002
【特許請求の範囲】
【請求項１】
印刷対象の画像に付加することが可能なテンプレート画像を使用するプリント端末であって、
前記印刷対象の画像を表示する表示部と、
ユーザが使用したテンプレート画像である第１テンプレート画像と関連するテンプレート画像である第２テンプレート画像を前記表示部が優先的に表示するように、テンプレート画像の並びを換える並び換え処理を行う並び換え部と、を備える
プリント端末。
【請求項２】
前記第２テンプレート画像は、前記印刷対象の画像に付加する画像として、前記第１テンプレート画像とともに前記ユーザが過去の期間において使用した画像であり、
前記並び換え部は、前記過去の期間において前記ユーザの使用頻度の高い前記第２テンプレート画像程前記表示部が優先的に表示するように、前記並び換え処理を行う
請求項１に記載のプリント端末。
【請求項３】
前記プリント端末は、さらに、
前記第１テンプレート画像の特徴であるパターンを認識する認識部を備え、
前記第２テンプレート画像は、認識された前記パターンに属する画像であり、
前記並び換え部は、認識された前記パターンに基づいて、前記並び換え処理を行う
請求項１に記載のプリント端末。
【請求項４】
前記第２テンプレート画像は、予め定められた特徴項目における前記ユーザの特徴にあった画像である
請求項１に記載のプリント端末。
【請求項５】
前記第２テンプレート画像は、前記ユーザが使用する最新の画像であり、
前記プリント端末は、さらに、
前記ユーザが過去の期間において使用したテンプレート画像のサイズを記憶する記憶部と、
前記最新の画像のサイズを、前記記憶部に記憶されている前記サイズと同じにするサイズ調整部とを備える
請求項１に記載のプリント端末。
【請求項６】
印刷対象の画像に付加することが可能なテンプレート画像を使用するプリント端末であって、
前記印刷対象の画像を表示する表示部と、
前記印刷対象の画像の特徴であるパターンを認識する認識部と、
認識された前記パターンに属するテンプレート画像を、前記表示部が表示するように、テンプレート画像の並びを換える処理を行う並び換え部と、を備える
プリント端末。
【請求項７】
印刷対象の画像に付加することが可能なテンプレート画像を使用するプリント端末であって、
前記印刷対象の画像を表示する表示部と、
予め定められた特徴項目におけるユーザの特徴にあったテンプレート画像を前記表示部が表示するように、テンプレート画像の並びを換える処理を行う並び換え部と、を備える
プリント端末。
【請求項８】
印刷対象の画像に付加することが可能なテンプレート画像を使用するプリント端末であって、
前記印刷対象の画像を表示する表示部と、
ユーザが過去の期間において使用したテンプレート画像のサイズを記憶する記憶部と、
前記ユーザが使用する最新のテンプレート画像のサイズを、前記記憶部に記憶されている前記サイズと同じにするサイズ調整部と、を備える
プリント端末。
【請求項９】
前記印刷対象の画像を表示する表示部を備え、該印刷対象の画像に付加することが可能なテンプレート画像を使用するプリント端末が行う画像表示方法あって、
ユーザが使用したテンプレート画像である第１テンプレート画像と関連するテンプレート画像である第２テンプレート画像を前記表示部が優先的に表示するように、テンプレート画像の並びを換える並び換え処理を行うステップを含む
画像表示方法。
【発明の詳細な説明】
【技術分野】
【０００１】
本発明は、テンプレート画像を用いた処理を行うプリント端末および画像表示方法に関する。
【背景技術】
【０００２】
近年、デジタルカメラ、高画質なカメラ等の機能をもつ携帯電話の普及に伴い、撮影されたデジタル画像をプリントする需要が増えている。なお、画像データが記録されているメモリカードなどの記録媒体は簡単にユーザが持ち運び可能である。そのため、記録媒体を用いることで、手軽にプリントを行えるセルフプリント端末が多く普及している。
【０００３】
セルフプリント端末は、ユーザによる簡単な操作で、その場ですぐにプリントを行なえるようになっている。また、セルフプリント端末は、ユーザの操作により、出力（プリント）対象の画像に対して、スタンプ、フレームなどのテンプレート画像を付加した合成画像を作成することができる。そのため、ユーザは、セルフプリント端末を操作することにより、プリント対象の画像を、自己流にアレンジしたり、デザインできる。
【０００４】
セルフプリント端末は、使用可能な複数のテンプレート画像を、編集用画像内に表示する。編集用画像とは、出力（印刷）対象の画像を編集するための画像である。ユーザは、セルフプリント端末を操作することにより、表示された複数のテンプレート画像の中から、好みのテンプレート画像を自由に選択する。セルフプリント端末は、選択されたテンプレート画像を、印刷対象の画像に付加した合成画像を作成し、当該合成画像をプリントしたものを出力する。
【０００５】
例えば、特許文献１では、ユーザが使用する頻度の高い人気のあるテンプレート画像を効果的に表示する技術（以下、関連技術Ａともいう）が開示されている。関連技術Ａにより、ユーザがテンプレートを選択しやすくすることを可能とするプリントシステム（セルフプリント端末）が実現されている。具体的には、関連技術Ａでは、選択されたテンプレートの選択数をカウントし、カウントされた選択数を集計する。そして、関連技術Ａでは、集計された選択数の多い順に順位を付け、集計結果を出力するように制御を行っている。
【０００６】
また、特許文献２では、初心者のユーザが快適に操作可能な写真画像受付装置（セルフプリント端末）を実現するための技術（以下、関連技術Ｂともいう）が開示されている。具体的には、関連技術Ｂでは、ユーザの操作回数をカウントしたり、操作にかかる時間を計測することで操作情報を記憶しておく。そして、関連技術Ｂでは、記憶された操作回数、時間によってガイダンス情報をディスプレイに表示する。初心者であれば、同じボタンを複数回押下すること、操作に時間がかかってしまうことが多い。関連技術Ｂは、そのような初心者のユーザに対しても、快適に写真画像受付装置（セルフプリント端末）の操作を行えるようにする技術である。
【０００７】
特許文献３では、画像の編集作業を効率的に行う画像編集装置を実現するための技術（以下、関連技術Ｃともいう）が開示されている。具体的には、関連技術Ｃでは、出力対象の画像データに対して、当該画像データに関連付けされた文字列データを自動で合成する。すなわち、出力対象の画像データと文字列データとを関連付けし、自動で合成画像の作成を行う。これにより、煩雑な操作を行うことなく、画像編集の作業効率を上げることができる。
【先行技術文献】
【特許文献】
【０００８】
【特許文献１】特開２００９−０９３３７７号公報
【特許文献２】特開２００６−３２３２２０号公報
【特許文献３】特開２００６−０２００７７号公報
【発明の概要】
【発明が解決しようとする課題】
【０００９】
しかしながら、従来では、以下のような問題点がある。具体的には、関連技術Ａでは、使用される頻度の高い人気のあるテンプレート画像を効果的に表示する。これにより、ユーザは、テンプレート画像を選択しやすくなり、編集の効率があがる。しかしながら、関連技術Ａでは、印刷（出力）対象の画像に付加する画像として、表示された使用される頻度の高い特定のテンプレート画像が選択される確率が高い。そのため、テンプレート画像を用いた印刷対象の画像のアレンジが一様になってしまうという問題がある。
【００１０】
本発明は、このような問題を解決するためになされたものであり、印刷対象の画像のアレンジが一様になることを抑制することが可能なプリント端末等を提供することを目的とする。
【課題を解決するための手段】
【００１１】
上記目的を達成するために、本発明の一態様に係るプリント端末は、印刷対象の画像に付加することが可能なテンプレート画像を使用するプリント端末である。前記プリント端末は、前記印刷対象の画像を表示する表示部と、ユーザが使用したテンプレート画像である第１テンプレート画像と関連するテンプレート画像である第２テンプレート画像を前記表示部が優先的に表示するように、テンプレート画像の並びを換える並び換え処理を行う並び換え部と、を備える。
【発明の効果】
【００１２】
本発明によれば、並び換え部が、ユーザが使用した第１テンプレート画像と関連する第２テンプレート画像を表示部が優先的に表示するように、テンプレート画像の並びを換える並び換え処理を行う。
【００１３】
すなわち、第２テンプレート画像を、表示部が優先的に表示する。第２テンプレート画像は、印刷対象の画像に付加することが可能な画像である。また、第２テンプレート画像は、ユーザが使用した第１テンプレート画像と関連する画像である。
【００１４】
したがって、ユーザは、該ユーザが使用した第１テンプレート画像と関連する第２テンプレート画像を、印刷対象の画像に付加する画像として使用することにより、印刷対象の画像のアレンジが一様になることを抑制することができる。
【図面の簡単な説明】
【００１５】
【図１】本発明の実施の形態１に係るプリント端末の構成を示すブロック図である。
【図２】画像表示処理のフローチャートである。
【図３】編集用画像の一例を示す図である。
【図４】関連付けされたテンプレート画像を表示した編集用画像の一例を示す図である。
【図５】カウント処理のフローチャートである。
【図６】画像表示処理Ａのフローチャートである。
【図７】使用頻度の高いテンプレート画像を優先的に表示した編集用画像の一例を示す図である。
【図８】画像表示処理Ｂのフローチャートである。
【図９】印刷対象画像のパターンにより並びが換えられたテンプレート画像を示す編集用画像の一例を示す図である。
【発明を実施するための形態】
【００１６】
以下、図面に従って、本発明の実施の形態について説明する。以下の説明では、同一の構成要素には同一の符号を付してある。それらの名称および機能も同じである。したがって、それらについての詳細な説明を省略する場合がある。
【００１７】
＜実施の形態１＞
図１は、本発明の実施の形態１に係るプリント端末１００の構成を示すブロック図である。プリント端末１００は、例えば、店頭に設置して、写真プリントの受付、および写真プリントを行う端末である。なお、図１には、説明のために、プリント端末１００には含まれない入力メディア１０も示される。
【００１８】
プリント端末１００は、ユーザ自身が当該プリント端末１００を操作する必要のあるセルフプリント端末である。プリント端末１００は、詳細は後述するが、印刷対象の画像に付加することが可能なテンプレート画像を使用する。
【００１９】
プリント端末１００は、テンプレート処理部１０１と、表示部１５０と、操作部１６０と、画像出力制御部１０９と、プリンタ２０ａ，２０ｂ，２０ｃ，２０ｄとを備える。
【００２０】
テンプレート処理部１０１は、テンプレート画像を処理する機能を有する。テンプレート処理部１０１は、画像読み込み部１０２と、記憶部１２０と、制御部１１０とを含む。
【００２１】
入力メディア１０には、複数の画像データが記録されている。当該画像データは、例えば、写真の画像を示すデータである。以下においては、写真の画像を、写真画像ともいう。入力メディア１０は、ユーザが持ち運び可能な記録媒体である。
【００２２】
例えば、ユーザは、入力メディア１０に予め画像データを記録させて、該入力メディア１０を、店頭に持ち込む。入力メディア１０は、図示しないメディア挿入口に挿入される。メディア挿入口は、入力メディア１０を挿入する部分である。メディア挿入口を有するメディア読み込み機構（図示せず）は、プリント端末１００に設けられる。
【００２３】
画像読み込み部１０２は、入力メディア１０から複数の画像データを順次読み込む。画像読み込み部１０２は、順次読み込んだ画像データを、記憶部１２０に記憶させる。また、画像読み込み部１０２は、必要に応じて、読み込んだ画像データを制御部１１０に送信する。
【００２４】
なお、画像読み込み部１０２は、入力メディア１０に限定されず、例えば、外部の記録装置等から画像データを読み込んでもよい。また、画像読み込み部１０２は、例えば、インターネットを利用して、画像データを読み込んでもよい。以下においては、画像データを、単に、画像ともいう。
【００２５】
表示部１５０は、タッチパネル機能を有するディスプレイである。表示部１５０は、画像を表示するための画面（図示せず）を有する。表示部１５０は、プリント端末１００の状況に応じた画像を画面に表示する。以下においては、画像を表示している、表示部１５０の画面に対するユーザの操作を、操作Ｕともいう。操作Ｕは、例えば、画像を表示する画面に対するユーザのタッチ操作である。表示部１５０は、例えば、タッチパネル機能により操作Ｕを検出する。
【００２６】
記憶部１２０は、例えば、メモリである。記憶部１２０は、テンプレート画像ＤＢ５０、ユーザ操作情報５１、複数の画像等を記憶している。
【００２７】
ユーザ操作情報５１は、ユーザによる操作Ｕを示す情報である。テンプレート画像ＤＢ５０には、複数のテンプレート画像Ｔ１が記録されている。すなわち、テンプレート画像ＤＢ５０は、複数のテンプレート画像Ｔ１を含む。
【００２８】
テンプレート画像ＤＢ５０に含まれる各テンプレート画像Ｔ１は、当該テンプレート画像Ｔ１を識別するための識別番号が割当てられている。また、テンプレート画像ＤＢ５０に含まれる各テンプレート画像Ｔ１は、該テンプレート画像Ｔ１の特徴を判別するための単語を示すメタ情報を有する。以下においては、テンプレート画像の特徴を判別するための単語を、特徴単語ともいう。
【００２９】
例えば、テンプレート画像Ｔ１が、ソフトボール（野球）を行っている人間等を示す画像である場合、当該テンプレート画像Ｔ１は、特徴単語「ソフトボール」を示すメタ情報を有する。
【００３０】
以下においては、テンプレート画像Ｔ１を、単に、テンプレート画像ともいう。また、以下においては、テンプレート画像ＤＢ５０に含まれる、あるテンプレート画像を、テンプレート画像Ａとも表記する。以下においては、テンプレート画像Ａと関連する他のテンプレート画像を、関連テンプレート画像ともいう。
【００３１】
関連テンプレート画像の数は、テンプレート画像ＤＢ５０に含まれる全てのテンプレート画像Ｔ１の数以下である。すなわち、テンプレート画像ＤＢ５０に含まれる複数のテンプレート画像Ｔ１は、複数の関連テンプレート画像を含む。なお、テンプレート画像Ａと関連テンプレート画像とは関連づけて、テンプレート画像ＤＢ５０に事前に記録（登録）されている。テンプレート画像Ａおよび関連テンプレート画像は、ユーザが同時に使用する可能性の高い画像である。
【００３２】
次に、関連テンプレート画像について説明する。ここで、テンプレート画像Ａは、「ソフトボール」を示すメタ情報を有するテンプレート画像Ｔ１であるとする。この場合、「ソフトボール」に関連する特徴単語を示すメタ情報を有するテンプレート画像Ｔ１が、関連テンプレート画像である。「ソフトボール」に関連する特徴単語は、例えば、「バット」、「グローブ」、「ベース」、「キャップ」等である。
【００３３】
操作部１６０は、ユーザが、プリント端末１００に対し指示を与えるためのインタフェースである。操作部１６０は、例えば、キーボード等から構成される。以下においては、ユーザが、操作部１６０を利用して行う操作を、操作Ｕともいう。
【００３４】
制御部１１０は、テンプレート処理部１０１内の各部を制御する。制御部１１０は、例えば、ＣＰＵ等のプロセッサで構成される。制御部１１０は、認識部１０３と、ユーザ情報取得部１０４と、並び換え部１０７と、サイズ調整部１０６と、画像編集制御部１０８とを含む。
【００３５】
制御部１１０に含まれる、認識部１０３、ユーザ情報取得部１０４、並び換え部１０７、サイズ調整部１０６および画像編集制御部１０８の全て又は一部は、演算回路等のハードウエアで構成されてもよい。また、認識部１０３、ユーザ情報取得部１０４、並び換え部１０７、サイズ調整部１０６および画像編集制御部１０８の全て又は一部は、ＣＰＵ等のプロセッサにより実行されるプログラムのモジュールであってもよい。
【００３６】
認識部１０３は、詳細は後述するが、画像のパターン（特徴）を認識する。ユーザ情報取得部１０４は、詳細は後述するが、プリント端末１００を利用するユーザの特徴を示すユーザ情報を取得する。並び換え部１０７は、詳細は後述するが、表示部１５０が表示するテンプレート画像の並びを換える処理を行う。サイズ調整部１０６は、詳細は後述するが、テンプレート画像のサイズを調整する処理を行う。
【００３７】
画像編集制御部１０８は、詳細は後述するが、表示されたテンプレート画像を使用して画像の編集を行うための処理を行う。
【００３８】
制御部１１０は、画像出力制御部１０９を制御する。画像出力制御部１０９は、制御部１１０の制御に応じて、プリンタ２０ａ，２０ｂ，２０ｃ，２０ｄを制御する。以下においては、プリンタ２０ａ，２０ｂ，２０ｃ，２０ｄの各々を、単に、プリンタ２０ともいう。
【００３９】
各プリンタ２０は、画像出力制御部１０９の制御に応じて、印刷対象の画像を用紙に印刷する印刷処理を行う。以下においては、印刷対象の画像を、印刷対象画像ともいう。また、以下においては、印刷対象画像が印刷された用紙を、プリント出力物１１ともいう。画像出力制御部１０９は、例えば、プリント出力物１１の出力枚数の制御を行う。
【００４０】
各プリンタ２０は、印刷処理の実行の後、プリント出力物１１を排出（出力）する。なお、プリント端末１００に含まれるプリンタ２０の数は、４に限定されず、１，２，または５以上であってもよい。
【００４１】
次に、プリント端末１００が行う処理（以下、画像表示処理ともいう）について説明する。プリント端末１００の電源が起動された後、表示部１５０は、メニュー画像ＭＧを表示する。当該メニュー画像ＭＧには、複数の画像と、編集用ボタンとが配置されている。メニュー画像ＭＧに配置される当該複数の画像の各々は、例えば、画像読み込み部１０２が、入力メディア１０から読み込んだ画像データが示す画像である。なお、当該複数の画像の各々は、予め記憶部１２０に記憶された画像であってもよい。
【００４２】
また、メニュー画像ＭＧに配置される編集用ボタンは、印刷対象画像を編集するための編集用画像を、表示部１５０に表示させるためのボタンである。ユーザにより、画像編集移行操作が行われた場合、画像表示処理が行われる。当該画像編集移行操作は、メニュー画像ＭＧに配置されている複数の画像のなかから印刷対象画像を選択し、編集用ボタンを押下するための操作Ｕである。
【００４３】
図２は、画像表示処理のフローチャートである。
【００４４】
ステップＳ１０１では、テンプレート画像読込処理が行われる。テンプレート画像読込処理では、制御部１１０が、テンプレート画像ＤＢ５０から、予め定められた複数のテンプレート画像Ｔ１を読み込む。これにより、制御部１１０は、複数のテンプレート画像Ｔ１を取得する。
【００４５】
ステップＳ１１０では、印刷対象画像が表示される。具体的には、制御部１１０が、印刷対象画像と、取得した複数のテンプレート画像Ｔ１とを示す編集用画像を生成する。そして、制御部１１０は、生成した編集用画像を、表示部１５０に表示させる。すなわち、表示部１５０は、印刷対象画像（編集用画像）を表示する。
【００４６】
ここで、ステップＳ１１０により、表示部１５０が表示する編集用画像は、例えば、以下の編集用画像２００である。
【００４７】
図３は、編集用画像２００の一例を示す図である。図３を参照して、編集用画像２００には、印刷対象画像２１０と、一覧表示画像２２０とが配置される。印刷対象画像２１０は、編集の対象となる画像である。
【００４８】
一覧表示画像２２０は、複数のテンプレート画像Ｔ１が配置された画像である。各テンプレート画像Ｔ１は、印刷対象画像２１０に付加（合成）することが可能な画像である。
【００４９】
一覧表示画像２２０は、例えば、テンプレート画像ＤＢ５０に含まれる全てのテンプレート画像Ｔ１の一部を並べて示す。一覧表示画像２２０に並んで示される複数のテンプレート画像Ｔ１は、例えば、ユーザに人気のある画像である。
【００５０】
具体的には、一覧表示画像２２０に並べて示される複数のテンプレート画像Ｔ１は、テンプレート画像ＤＢ５０に含まれる全てのテンプレート画像Ｔ１のうち、ユーザに人気があった（ユーザの選択頻度の高い）テンプレート画像である。そのため、一覧表示画像２２０が示す複数のテンプレート画像Ｔ１は、互いに関連性のない画像である場合もある。
【００５１】
一覧表示画像２２０には、ボタン２３１，２３２，２３３が配置される。ボタン２３１，２３２，２３３の各々は、表示部１５０（一覧表示画像２２０）が示すテンプレート画像の並びを換える処理を行うためのボタンである。
【００５２】
ボタン２３１は、当該ボタン２３１を押下するための操作Ｕがあった場合、後述の並び換え処理Ｂを行うためのボタンである。ボタン２３２は、当該ボタン２３２を押下するための操作Ｕがあった場合、後述の並び換え処理Ｎを行うためのボタンである。ボタン２３３は、当該ボタン２３３を押下するための操作Ｕがあった場合、後述の並び換え処理Ａを行うためのボタンである。
【００５３】
以下においては、ユーザによる操作Ｕにより選択されたテンプレート画像Ｔ１を、選択テンプレート画像とも表記する。また、以下においては、あるテンプレート画像Ｔ１を、テンプレート画像Ｔ１ａとも表記する。また、以下においては、テンプレート画像Ｔ１ａに関連付けられた関連テンプレート画像を、テンプレート画像Ｔ１ｂとも表記する。
【００５４】
ここで、図３の一覧表示画像２２０の左上部には、図４に示すテンプレート画像Ｔ１ａが配置されているとする。また、テンプレート画像Ｔ１ａは、星マークを示すテンプレート画像であるとする。また、ユーザが、テンプレート画像Ｔ１ａを選択し、当該テンプレート画像Ｔ１ａを、印刷対象画像２１０に付加（合成）するための操作Ｕを行ったとする。
【００５５】
この場合、編集用画像２００が示す印刷対象画像２１０は、制御部１１０の制御により、図４の印刷対象画像２１０Ａに変更される。印刷対象画像２１０Ａは、印刷対象画像２１０に、ユーザが選択したテンプレート画像Ｔ１ａを合成した画像である。すなわち、テンプレート画像Ｔ１ａは、選択テンプレート画像である。
【００５６】
以下においては、印刷対象画像２１０の代わりに印刷対象画像２１０Ａを示す編集用画像２００を、編集用画像Ａともいう。
【００５７】
その後、表示部１５０が、印刷対象画像２１０Ａを示す編集用画像Ａを表示している状態で、ボタン２３２を押下するための操作Ｕがあったとする。この場合、ステップＳ１２０の処理が行われる。
【００５８】
ステップＳ１２０では、並び換え処理Ｎが行われる。並び換え処理Ｎは、ユーザが使用したテンプレート画像と関連する関連テンプレート画像を、表示部１５０が優先的に表示するように、表示部１５０が表示するテンプレート画像の並びを換える（変化させる）処理である。
【００５９】
具体的には、並び換え処理Ｎでは、並び換え部１０７が、テンプレート画像ＤＢ５０において、ユーザにより選択された選択テンプレート画像に関連付けられた関連テンプレート画像を示す編集用画像を、表示部１５０に表示させる制御を行う。なお、選択テンプレート画像と、関連テンプレート画像とは、互いに関連する画像である。また、関連テンプレート画像は、テンプレート画像ＤＢ５０に含まれる画像である。なお、選択テンプレート画像が有するメタ情報が示す特徴単語と、関連テンプレート画像が有するメタ情報が示す特徴単語とは、互いに関連する。
【００６０】
ここで、選択テンプレート画像は、図４のテンプレート画像Ｔ１ａであるとする。この場合、並び換え処理Ｎでは、並び換え部１０７が、テンプレート画像Ｔ１ａに関連付けられた複数の関連テンプレート画像（テンプレート画像Ｔ１ｂ）をテンプレート画像ＤＢ５０から取得する。
【００６１】
そして、並び換え部１０７は、取得した複数の関連テンプレート画像（テンプレート画像Ｔ１ｂ）が配置された一覧表示画像２２０Ａを示す編集用画像２００Ａを生成する。そして、並び換え部１０７は、生成した編集用画像２００Ａを、表示部１５０に表示させる制御を行う。すなわち、ボタン２３２を押下するための操作Ｕがあった場合、編集用画像２００は、編集用画像２００Ａに切り替わる（移行する）。
【００６２】
図４は、編集用画像２００Ａの一例を示す図である。具体的には、編集用画像２００Ａは、あるテンプレート画像に関連付けされたテンプレート画像を優先的に表示した画像の一例である。
【００６３】
図４を参照して、編集用画像２００Ａは、図３の編集用画像２００と比較して、印刷対象画像２１０の代わりに印刷対象画像２１０Ａが配置される点と、一覧表示画像２２０の代わりに一覧表示画像２２０Ａが配置される点とが異なる。編集用画像２００Ａのそれ以外の点は、編集用画像２００と同様である。
【００６４】
一覧表示画像２２０Ａは、テンプレート画像Ｔ１ａに関連付けられた複数のテンプレート画像Ｔ１ｂ（関連テンプレート画像）を示す。一覧表示画像２２０Ａに示される複数のテンプレート画像Ｔ１ｂは、様々な種類の星を示すテンプレート画像、月、空等を示すテンプレート画像等である。
【００６５】
なお、編集用画像２００Ａが表示されている状態で、再度、ボタン２３２を押下するための操作Ｕがあった場合、表示部１５０は、再度、編集用画像２００を表示する。すなわち、編集用画像２００Ａから、通常の編集用画像に戻ることができる。
【００６６】
以上のステップＳ１２０の処理により、並び換え部１０７は、ユーザが使用したテンプレート画像と関連する関連テンプレート画像を表示部１５０が優先的に表示するように、テンプレート画像の並びを換える並び換え処理を行う。この処理により、ユーザが選択（使用）したテンプレート画像に関連性のあるテンプレート画像を表示することができる。
【００６７】
以上の画像表示処理により、ユーザが、印刷対象画像の編集を行う際に、使用したテンプレート画像に関連する関連テンプレート画像を優先的に表示することができる。
【００６８】
以上説明したように、本実施の形態によれば、並び換え部１０７が、ユーザが使用したテンプレート画像（選択テンプレート画像）と関連する関連テンプレート画像を表示部１５０が優先的に表示するように、テンプレート画像の並びを換える並び換え処理を行う。
【００６９】
すなわち、関連テンプレート画像を、表示部１５０が優先的に表示する。関連テンプレート画像は、印刷対象画像に付加することが可能な画像である。また、関連テンプレート画像は、ユーザが使用した選択テンプレート画像と関連する画像である。
【００７０】
したがって、ユーザは、該ユーザが使用した選択テンプレート画像と関連する関連テンプレート画像を、印刷対象の画像に付加する画像として使用することにより、印刷対象の画像のアレンジが一様になることを抑制することができる。すなわち、印刷対象の画像のアレンジの幅を広げることができる。
【００７１】
なお、印刷対象の画像の編集を行う際に慣れない人が操作を行うと、テンプレート画像の種類、色、大きさなどを選択できることを知らずに、優先的に表示されているテンプレート画像を、印刷対象の画像に付加してしまう可能性が多くなってしまう。また、操作方法が分からずにかなりの時間がかかってしまい、次に端末を使う人がいる場合、その人を待たせてしまい、迷惑をかけてしまうこともある。
【００７２】
前述の関連技術Ａでは、人気のあるテンプレート画像を効果的に表示して、ユーザがテンプレートを選択しやすくし、編集の効率を上げるようにしている。しかしながら、人気のある特定のテンプレート画像を、印刷対象の画像にそのまま付加してしまうと、せっかくの写真が類似した画となってしまう可能性がある。
【００７３】
また、前述の関連技術Ｂでは、ユーザの分かりやすいように、操作に慣れない人に対してはガイダンス情報を提供することで、操作性をよくしている。しかしながら、結局は実際にユーザが操作を行わなければならず、操作内容そのものが簡単になったわけではないことが問題となっている。
【００７４】
関連技術Ｃでは、出力（印刷）対象の画像データと、当該画像データに関連付けされたデータとを自動で合成を行うことで、画像の編集効率をよくしている。しかしながら、画像が自動で合成されてしまうため、ユーザの思ったような編集ができない。そのため、ユーザの要望に応じた画像の編集を行えないことが問題となっている。
【００７５】
そこで、本実施の形態では、従来のようにガイダンス情報によって説明するのではなく、ユーザが使用したテンプレート画像とそれに関連したテンプレート画像を、自動で、表示部１５０が表示するように、テンプレート画像の並びを換える。
【００７６】
これにより、どんなユーザでも簡単に操作を行うことができ、操作性を向上させることができる。すなわち、誰でも簡単に効率よく画像編集を行うことができる。つまり、画像編集を苦手とするユーザであっても、簡単かつ効率よく、印刷対象の画像の編集を行うことができる。また、画像編集などアレンジが苦手なユーザであっても、簡単にデザインプリントができる。
【００７７】
なお、本実施の形態に係るプリント端末１００は、図１に示される全ての構成要素を含まなくてもよい。すなわち、プリント端末１００は、本実施の形態の効果を実現できる最小限の構成要素のみを含めばよい。例えば、本実施の形態に係るプリント端末１００の制御部１１０は、認識部１０３、ユーザ情報取得部１０４およびサイズ調整部１０６は含まなくてもよい。
【００７８】
＜実施の形態１の変形例１＞
次に、複数のテンプレート画像を用いて、印刷対象画像を編集する場合の処理について説明する。具体的には、ユーザが使用したテンプレート画像と一緒に（または同時に）使用する頻度の高いテンプレート画像を優先的に表示するための処理について説明する。
【００７９】
まず、ユーザが使用したテンプレート画像と一緒に（または同時に）使用する頻度の高いテンプレート画像を特定する情報を記憶するための処理（以下、カウント処理ともいう）について説明する。カウント処理は、表示部１５０が前述のメニュー画像ＭＧを表示している状態で、前述の画像編集移行操作が行われた場合に行われる。
【００８０】
図５は、カウント処理のフローチャートである。図５において、図２のステップ番号と同じステップ番号の処理は、実施の形態１で説明した処理と同様な処理が行われるので詳細な説明は繰り返さない。
【００８１】
制御部１１０は、テンプレート画像ＤＢ５０から、複数のテンプレート画像を読み込む（Ｓ１０１）。次に、ステップＳ１１０では、実施の形態１と同様な処理により、表示部１５０が、印刷対象画像（編集用画像）を表示する。表示される編集用画像は、例えば、図３の編集用画像２００である。
【００８２】
以下においては、識別番号“１”のテンプレート画像を、テンプレート画像Ａともいう。また、以下においては、識別番号“ｘ（自然数）”のテンプレート画像を、テンプレート画像Ｘともいう。テンプレート画像Ａ，Ｘは、ステップＳ１１０により表示部１５０が示す複数のテンプレート画像に含まれる。
【００８３】
なお、記憶部１２０には、予め、カウンタテーブルＣＴ［１］［ｘ］が格納されている。以下においては、カウンタテーブルＣＴ［１］［ｘ］を、単に、ＣＴ［１］［ｘ］またはＣＴと表記する。ＣＴ［１］［ｘ］は、１とｘとの組み合わせで表現される配列データである。ＣＴ［１］［ｘ］は、１とｘの値との組み合わせにより、複数種類のカウンタテーブルで表現される。例えば、ｘ＝２である場合、ＣＴ［１］［ｘ］は、ＣＴ［１］［２］で表現される。
【００８４】
ＣＴ［１］［ｘ］は、印刷対象画像の編集において、テンプレート画像Ａとともに使用されたテンプレート画像Ｘの使用回数（使用頻度）を示す。なお、ＣＴ［１］［ｘ］の初期値は０である。
【００８５】
ここで、編集用画像２００が表示されている状態で、ユーザが、テンプレート画像Ａを選択するための操作Ｕを行ったとする。この場合、制御部１１０は、取得した複数のテンプレート画像の中から、当該操作Ｕにより特定されるテンプレート画像Ａを選択する（Ｓ１１１）。
【００８６】
以下においては、印刷対象画像に付加する画像として、テンプレート画像Ａとともに使用（選択）されたテンプレート画像を、共同テンプレート画像ともいう。
【００８７】
次に、ユーザは、テンプレート画像Ｘを選択し、かつ、テンプレート画像Ａ，Ｘを、印刷対象画像に付加（合成）するための操作Ｕを行ったとする。テンプレート画像Ｘは、共同テンプレート画像である。
【００８８】
この場合、制御部１１０は、テンプレート画像Ｘをさらに選択し、表示部１５０が表示する印刷対象画像にテンプレート画像Ａ，Ｘを付加（合成）した印刷対象画像Ａを生成する（Ｓ１１２）。すなわち、印刷対象画像にテンプレート画像Ａ，Ｘの両方が付加される。そのため、テンプレート画像Ｘは、同じ印刷対象画像に付加される画像という観点においては、テンプレート画像Ａに関連する画像である。
【００８９】
そして、制御部１１０は、ＣＴ［１］［ｘ］の値を１インクリメントする（Ｓ１１３）以上により、カウント処理は終了する。
【００９０】
なお、ユーザが、テンプレート画像Ａと識別番号“ｓ（２〜ｘの範囲の値）”のテンプレート画像とを、印刷対象画像に付加するための操作Ｕを複数回行ったとする。この場合、前述のカウント処理と同様な処理が複数回行われることにより、ＣＴ［１］［２］〜ＣＴ［１］［ｘ］が、記憶部１２０に記憶される。
【００９１】
ＣＴ［１］［２］〜ＣＴ［１］［ｘ］は、テンプレート画像Ａに対応するテーブルである。また、ＣＴ［１］［２］〜ＣＴ［１］［ｘ］は、識別番号“２”〜“ｘ”のテンプレート画像に対応するテーブルでもある。識別番号“２”〜“ｘ”のテンプレート画像の各々は、共同テンプレート画像である。
【００９２】
以上により、共同テンプレート画像は、印刷対象画像に付加する画像として、テンプレート画像Ａとともにユーザが過去の期間において使用した画像である。
【００９３】
なお、ＣＴ［１］［２］〜ＣＴ［１］［ｘ］のうち、値が大きいＣＴ程、当該ＣＴに対応するテンプレート画像の使用頻度（使用回数）が高いことを示す。
【００９４】
次に、テンプレート画像Ａと一緒に（または同時に）使用する頻度の高いテンプレート画像を優先的に表示するための処理（以下、画像表示処理Ａともいう）について説明する。画像表示処理Ａは、表示部１５０が前述のメニュー画像ＭＧを表示している状態で、前述の画像編集移行操作が行われた場合に行われる。
【００９５】
図６は、画像表示処理Ａのフローチャートである。図６において、図５のステップ番号と同じステップ番号の処理は、前述した処理と同様な処理が行われるので詳細な説明は繰り返さない。ここで、前述のカウント処理により、記憶部１２０には、ＣＴ［１］［２］〜ＣＴ［１］［ｘ］が記憶されているとする。
【００９６】
ステップＳ１０１，Ｓ１１０により、表示部１５０が、印刷対象画像（編集用画像）を表示する。表示される編集用画像は、例えば、図３の編集用画像２００である。
【００９７】
ここで、編集用画像２００が表示されている状態で、ユーザが、テンプレート画像Ａを選択するための操作Ｕを行ったとする。
【００９８】
この場合、制御部１１０は、取得した複数のテンプレート画像の中から、当該操作Ｕにより特定されるテンプレート画像Ａを選択する（Ｓ１１１）。以下においては、選択されたテンプレート画像を、選択テンプレート画像ともいう。
【００９９】
なお、ステップＳ１１１の直前にユーザが行った操作はステップＳ１１１の当該操作Ｕに限定されない。ステップＳ１１１の直前にユーザが行った操作は、編集用画像２００が表示されている状態で、ユーザが、テンプレート画像Ａを選択し、テンプレート画像Ａを印刷対象画像に付加するための操作Ｕであってもよい。この場合、制御部１１０は、テンプレート画像Ａを印刷対象画像に付加した画像を、表示部１５０に表示させる制御を行う。
【０１００】
表示部１５０が、編集用画像２００を表示している状態で、ボタン２３３を押下するための操作Ｕがあったとする。この場合、ステップＳ１１４Ａの処理が行われる。
【０１０１】
ステップＳ１１４Ａでは、ソート処理が行われる。ソート処理では、並び換え部１０７が、テンプレート画像Ａに対応する複数のＣＴ（ＣＴ［１］［２］〜ＣＴ［１］［ｘ］）を、該ＣＴが示す値が降順となるようソートする。なお、前述したように、ＣＴ［１］［２］〜ＣＴ［１］［ｘ］は、複数の共同テンプレート画像（識別番号“２”〜“ｘ”のテンプレート画像）に対応する。
【０１０２】
すなわち、並び換え部１０７は、複数の共同テンプレート画像の各々を、該共同テンプレート画像に対応するＣＴの値が降順となるように、ソートする。そして、ステップＳ１２０Ａの処理が行われる。
【０１０３】
ステップＳ１２０Ａでは、並び換え処理Ａが行われる。並び換え処理Ａでは、ソートされた順番で、テンプレート画像の表示が行われる。少し具体的には、並び換え処理Ａは、過去の期間においてユーザの使用頻度の高い共同テンプレート画像程表示部１５０が優先的に表示するように、テンプレート画像の並びを換える（変化させる）処理である。
【０１０４】
具体的には、並び換え処理Ａでは、並び換え部１０７が、ソート処理によりソートされた各共同テンプレート画像のうち、１番目からＳ（２以上の自然数）番目までの共同テンプレート画像を示す編集用画像を、表示部１５０に表示させる制御を行う。Ｓは、例えば、１５である。以下においては、共同テンプレート画像を、テンプレート画像Ｔ１ｃとも表記する。
【０１０５】
この場合、並び換え部１０７が、Ｓ個の共同テンプレート画像（テンプレート画像Ｔ１ｃ）が配置された一覧表示画像２２０Ｂを示す編集用画像２００Ｂを生成する。そして、並び換え部１０７は、生成した編集用画像２００Ｂを、表示部１５０に表示させる制御を行う。すなわち、ボタン２３３を押下するための操作Ｕがあった場合、編集用画像２００は、編集用画像２００Ｂに切り替わる（移行する）。
【０１０６】
図７は、編集用画像２００Ｂの一例を示す図である。具体的には、編集用画像２００Ｂは、使用頻度の高いテンプレート画像を優先的に表示した画像の一例である。
【０１０７】
図７を参照して、編集用画像２００Ｂは、図４の編集用画像２００Ａと比較して、一覧表示画像２２０Ａの代わりに一覧表示画像２２０Ｂが配置される点とが異なる。編集用画像２００Ｂのそれ以外の点は、編集用画像２００Ａと同様である。
【０１０８】
一覧表示画像２２０Ｂは、複数の共同テンプレート画像（テンプレート画像Ｔ１ｃ）を示す。
【０１０９】
ここで、例えば、画像表示処理Ａにおいて、ユーザが、テンプレート画像Ａとして、星マークを示すテンプレート画像Ｔ１ａを選択したとする。また、テンプレート画像Ｔ１ａと一緒に使うテンプレート画像として、「ハート」、「リボン」等を示すテンプレート画像のユーザによる使用頻度が高いとする。
【０１１０】
この場合、図７に示すように、一覧表示画像２２０Ｂには、「ハート」、「リボン」等を示す、使用頻度が高いテンプレート画像Ｔ１ｃが表示される。すなわち、人気の高いテンプレート画像を優先的に表示させることができる。
【０１１１】
なお、編集用画像２００Ｂが表示されている状態で、再度、ボタン２３３を押下するための操作Ｕがあった場合、表示部１５０は、再度、編集用画像２００を表示する。すなわち、編集用画像２００３から、通常の編集用画像に戻ることができる。
【０１１２】
以上説明したように、本実施の形態の変形例１では、過去の期間においてユーザの使用頻度の高い共同テンプレート画像程表示部１５０が優先的に表示するように、テンプレート画像の並びを換える。これにより、大半の人が気に入るデザインを簡単にアレンジ・作成することができる。
【０１１３】
なお、本実施の形態の変形例１に係るプリント端末１００は、図１に示される全ての構成要素を含まなくてもよい。例えば、本実施の形態の変形例１に係るプリント端末１００の制御部１１０は、認識部１０３、ユーザ情報取得部１０４およびサイズ調整部１０６は含まなくてもよい。
【０１１４】
＜実施の形態１の変形例２＞
なお、プリント端末１００は、画像のパターン（特徴）に応じて、テンプレート画像の並びを換えても（変更しても）よい。
【０１１５】
次に、画像のパターン（特徴）に応じて、テンプレート画像の並びを換えるための処理（以下、画像表示処理Ｂともいう）について説明する。
【０１１６】
なお、本実施の形態の変形例２では、テンプレート画像ＤＢ５０に含まれる各テンプレート画像Ｔ１が有するメタ情報は、さらに、パターン名を示すとする。当該パターン名は、パターンの名称である。当該パターンは、画像の色、画像の明るさ、画像が示す顔の数等の画像の特徴である。パターン名は、例えば、「夜景」、「大人数」、「風景」等である。すなわち、テンプレート画像ＤＢ５０に含まれる各テンプレート画像Ｔ１は、パターン名により、予め決められた複数種類のパターンに事前に分類されている。つまり、テンプレート画像ＤＢ５０には、複数種類の画像のパターン（パターン名）のいずれかにあったテンプレート画像が事前に登録されている。
【０１１７】
なお、パターンの分類の方法は、上記の方法に限定されない。
【０１１８】
図８は、画像表示処理Ｂのフローチャートである。図８において、図５のステップ番号と同じステップ番号の処理は、前述した処理と同様な処理が行われるので詳細な説明は繰り返さない。
【０１１９】
ステップＳ１０１，Ｓ１１０により、表示部１５０が、印刷対象画像（編集用画像）を表示する。表示される編集用画像は、例えば、図３の編集用画像２００である。なお、印刷対象画像は、編集対象の画像である。
【０１２０】
表示部１５０が、編集用画像２００を表示している状態で、ボタン２３１を押下するための操作Ｕがあったとする。この場合、ステップＳ１１５Ｂの処理が行われる。
【０１２１】
ステップＳ１１５Ｂでは、パターン認識処理が行われる。パターン認識処理では、認識部１０３が、印刷対象画像のパターン（特徴）を認識する。以下においては、認識部１０３により認識されたパターンの名称を示すメタ情報を有するテンプレート画像Ｔ１を、類似テンプレート画像またはテンプレート画像Ｔ１ｄとも表記する。
【０１２２】
なお、画像のパターンの認識処理は、一般的な技術なので詳細な説明は行わない。例えば、印刷対象画像が、全体的に暗い色を多く示す場合、認識部１０３は、印刷対象画像のパターン（特徴）を、「夜景」と判断する。
【０１２３】
ステップＳ１２０Ｂでは、並び換え処理Ｂが行われる。並び換え処理Ｂでは、並び換え部１０７が、認識部１０３により認識されたパターンに基づいて、表示部１５０が表示するテンプレート画像の並びを換える処理を行う。少し具体的には、並び換え部１０７は、認識部１０３により認識されたパターンに属するテンプレート画像を、表示部１５０が表示するように、テンプレート画像の並びを換える処理を行う。
【０１２４】
具体的には、並び換え部１０７が、認識部１０３により認識されたパターンの名称を示すメタ情報を有する類似テンプレート画像（テンプレート画像Ｔ１ｄ）を、テンプレート画像ＤＢ５０から取得する。そして、並び換え部１０７は、取得した類似テンプレート画像（テンプレート画像Ｔ１ｄ）が配置された一覧表示画像２２０Ｃを示す編集用画像２００Ｃを生成する。そして、並び換え部１０７は、生成した編集用画像２００Ｃを、表示部１５０に表示させる制御を行う。
【０１２５】
すなわち、ボタン２３１を押下するための操作Ｕがあった場合、編集用画像２００は、編集用画像２００Ｃに切り替わる（移行する）。つまり、ボタン２３１が押下されることにより、画像のパターンを分類することができる。そして、その分類された画像パターンにあったテンプレート画像を表示することができる。
【０１２６】
図９は、編集用画像２００Ｃの一例を示す図である。具体的には、編集用画像２００Ｃは、印刷対象画像２１０のパターン（特徴）により、並びが換えられた各テンプレート画像Ｔ１ｄが配置された一覧表示画像２２０Ｃを示す。すなわち、編集用画像２００Ｃは印刷対象画像２１０のパターン（特徴）により、並びが換えられた各テンプレート画像Ｔ１ｄを示す。
【０１２７】
ここで、例えば、前述のパターン認識処理において、図３の印刷対象画像２１０のパターンが、「夜景」と判断されたとする。この場合、一覧表示画像２２０Ｃには、パターン名「夜景」を示すメタ情報を有する類似テンプレート画像（テンプレート画像Ｔ１ｄ）が表示される。すなわち、一覧表示画像２２０Ｃには、「夜景」と共に使用される可能性の高いテンプレート画像Ｔ１ｄが表示される。つまり、一覧表示画像２２０Ｃに示される類似テンプレート画像（テンプレート画像Ｔ１ｄ）は、認識部１０３により認識されたパターンに属する画像である。すなわち、類似テンプレート画像（テンプレート画像Ｔ１ｄ）は、認識されたパターンを有する印刷対象画像に関連する画像である。
【０１２８】
各テンプレート画像Ｔ１ｄは、例えば、「月」、「ビール」、「天体望遠鏡」等を示すテンプレート画像Ｔ１ｄである。
【０１２９】
なお、ボタン２３１の押下後、パターンが特定されなかった場合、表示部１５０が表示している編集用画像２００は、変更されない。
【０１３０】
以上説明したように、本実施の形態の変形例２では、印刷対象の画像のパターンに応じて、表示するテンプレート画像を変更する。そのため、よりユーザの好むテンプレート画像を優先的に表示することができる。そのため、ユーザによる画像の編集のための操作性をより向上させることができる。
【０１３１】
なお、本実施の形態の変形例２において、テップＳ１１５Ｂのパターン認識処理において、パターン認識の対象となる画像は、印刷対象画像に限定されない。例えば、パターン認識の対象となる画像を、印刷対象画像に対しユーザが付加（使用）したテンプレート画像とする構成（以下、構成Ａという）としてもよい。構成Ａにおいて、ユーザが付加（使用）したテンプレート画像は、例えば、印刷対象画像２１０が示す月の画像である。
【０１３２】
この構成Ａの場合、ステップＳ１１５Ｂのパターン認識処理では、認識部１０３が、印刷対象画像に付加されたテンプレート画像のパターン（特徴）を認識する。また、構成Ａの場合、ステップＳ１２０Ｂにおける当該類似テンプレート画像は、印刷対象画像に付加されたテンプレート画像に関連（類似）する画像である。そして、構成Ａにおいて、前述のステップＳ１２０Ｂが行われることにより、並び換え部１０７が、認識部１０３により認識されたパターンに基づいて、表示部１５０が表示するテンプレート画像の並びを換える処理を行う。
【０１３３】
なお、本実施の形態の変形例２に係るプリント端末１００は、図１に示される全ての構成要素を含まなくてもよい。例えば、本実施の形態の変形例２に係るプリント端末１００の制御部１１０は、ユーザ情報取得部１０４およびサイズ調整部１０６は含まなくてもよい。
【０１３４】
＜実施の形態２＞
本実施の形態では、ユーザの特徴に合わせて、テンプレート画像の表示順序を並び替える。本実施の形態に係るプリント端末は、図１のプリント端末１００である。
【０１３５】
本実施の形態において、ユーザ情報取得部１０４は、前述したように、プリント端末１００を利用するユーザの特徴を示すユーザ情報を取得する。ユーザの特徴は、年齢、性別等である。すなわち、当該特徴は、予め定められた特徴項目におけるユーザの特徴である。当該特徴項目は、年齢、性別等である。
【０１３６】
ユーザ情報取得部１０４は、一例として、ユーザが保有するＩＤカードに記録されたユーザＩＤを読み取る機能を有する。ユーザＩＤは、ＩＤカードを保有するユーザを特定するための情報である。
【０１３７】
以下においては、ユーザの特徴にあったテンプレート画像を、特徴テンプレート画像ともいう。特徴テンプレート画像は、テンプレート画像ＤＢ５０に含まれる全てのテンプレート画像Ｔ１の一部である。
【０１３８】
本実施の形態では、記憶部１２０には、さらに、ユーザＩＤと、当該ユーザの特徴を示すユーザ情報とが関連づけて事前に記憶されている。
【０１３９】
次に、本実施の形態の処理（以下、画像表示処理Ｃともいう）について説明する。
【０１４０】
画像表示処理Ｃでは、まず、図１のステップＳ１０１，Ｓ１１０の処理が行われる。これにより、表示部１５０は、印刷対象画像（編集用画像（例えば、図３の編集用画像２００））を表示する。
【０１４１】
次に、特徴取得処理が行われる。特徴取得処理では、ユーザ情報取得部１０４が、ユーザの特徴を取得する。具体的には、ユーザ情報取得部１０４は、ユーザが持つＩＤカードからユーザＩＤを読み取る。そして、ユーザ情報取得部１０４は、取得したユーザＩＤに関連付けられたユーザ情報を、記憶部１２０から読み出す。これにより、ユーザ情報取得部１０４は、ユーザ情報が示すユーザの特徴を取得する。取得された当該ユーザの特徴は、前述したように、予め定められた特徴項目におけるユーザの特徴である。
【０１４２】
そして、並び換え処理Ｃが行われる。並び換え処理Ｃでは、並び換え部１０７が、取得されたユーザの特徴にあった特徴テンプレート画像を、表示部１５０が表示するように、テンプレート画像の並びを換える処理を行う。具体的には、並び換え部１０７が、取得されたユーザの特徴にあった特徴テンプレート画像を、テンプレート画像ＤＢ５０から取得する。
【０１４３】
ここで、一例として、ユーザの特徴は、性別「女性」であるとする。この場合、特徴テンプレート画像は、例えば、女性が好む色を多く示す画像である。女性が好む色は、例えば、赤、ピンク、オレンジなどの暖色系の色である。
【０１４４】
そして、並び換え部１０７は、取得した特徴テンプレート画像が配置された一覧表示画像を示す編集用画像（以下、編集用画像Ｄともいう）を生成する。そして、並び換え部１０７は、生成した編集用画像Ｄを、表示部１５０に表示させる制御を行う。
【０１４５】
以上により、ユーザの特徴にあったテンプレート画像を表示することができる。すなわち、ユーザの特徴に基づいて、テンプレート画像の表示する順序の変更を行うことができる。これにより、ユーザが、より好むテンプレート画像の並びとすることができ、テンプレート画像の選択性を向上させることができる。その結果、ユーザに合った、画像のアレンジが簡単に行える。
【０１４６】
なお、本実施の形態では、ユーザを特定する方法として、ユーザＩＤを使用したがこれに限定されない。例えば、ユーザの生体情報を、ユーザ情報取得部１０４が認識することにより、当該生体情報を有するユーザを特定してもよい。
【０１４７】
なお、本実施の形態に係るプリント端末１００は、図１に示される全ての構成要素を含まなくてもよい。例えば、本実施の形態に係るプリント端末１００の制御部１１０は、認識部１０３およびサイズ調整部１０６は含まなくてもよい。
【０１４８】
なお、本実施の形態の処理は、実施の形態１、実施の形態１の変形例１、実施の形態１の変形例２等に適用可能である。
【０１４９】
例えば、本実施の形態の処理を、実施の形態１の画像表示処理に適用した処理（以下、画像表示処理Ｎ２ともいう）が行われてもよい。
【０１５０】
画像表示処理Ｎ２では、図１のステップＳ１０１，Ｓ１１０の処理が行われる。これにより、表示部１５０は、印刷対象画像（図３の編集用画像２００））を表示する。そして、実施の形態１と同様、ユーザが、テンプレート画像を選択し、当該テンプレート画像を、印刷対象画像２１０に付加（合成）するための操作Ｕを行ったとする。当該操作Ｕにより選択されたテンプレート画像は、選択テンプレート画像である。この場合、制御部１１０は、選択テンプレート画像を、印刷対象画像２１０に付加した画像を、表示部１５０に表示させる。
【０１５１】
その後、前述の特徴取得処理、並び換え処理Ｃが行われる。なお、画像表示処理Ｎ２において使用される選択テンプレート画像は、特徴テンプレート画像と関連する画像である。
【０１５２】
＜実施の形態３＞
本実施の形態では、テンプレート画像のサイズに関連した処理を説明する。本実施の形態において、テンプレート画像のサイズの種類は、一例として、「大」、「小」の２種類とする。本実施の形態に係るプリント端末は、図１のプリント端末１００である。
【０１５３】
ここで、例えば、ユーザが出力を望む印刷対象画像が、多くの人を示す写真であって、かつ、あまり装飾できる部分がない写真を示す画像であるとする。この場合、ユーザは、サイズ「大」のテンプレート画像を使用して、印刷対象画像を装飾する可能性は少ない。すなわち、ユーザは、サイズ「小」のテンプレート画像を使用して、印刷対象画像の編集を行うことが多くなる。
【０１５４】
そこで、本実施の形態に係るプリント端末１００は、ユーザが一度使用したテンプレート画像の種類だけでなく、テンプレート画像のサイズ（大きさ）も記憶する。具体的には、本実施の形態において、制御部１１０は、ユーザが操作Ｕ等により選択したテンプレート画像のサイズを、記憶部１２０に記憶させる。すなわち、記憶部１２０は、ユーザが過去の期間において使用したテンプレート画像のサイズを記憶する。
【０１５５】
なお、プリント端末１００は、ユーザが一度使用したテンプレート画像の色等も記憶してもよい。
【０１５６】
次に、本実施の形態の処理（以下、画像表示処理Ｄともいう）について説明する。なお、画像表示処理Ｄが行われる前に、記憶部１２０は、ユーザが過去の期間において使用した複数のテンプレート画像のうち最新のテンプレート画像のサイズを記憶しているとする。以下においては、記憶部１２０が記憶している最新のテンプレート画像のサイズを、最新サイズともいう。
【０１５７】
画像表示処理Ｄでは、まず、図１のステップＳ１０１，Ｓ１１０の処理が行われる。これにより、表示部１５０は、印刷対象画像（編集用画像（例えば、図３の編集用画像２００））を表示する。
【０１５８】
そして、ユーザが、表示されている複数のテンプレート画像のうちの１つのテンプレート画像（選択テンプレート画像）を選択し、当該選択テンプレート画像を、印刷対象画像２１０に付加（合成）するための操作Ｕを行ったとする。当該選択テンプレート画像は、ユーザが使用する最新の画像である。また、記憶部１２０が記憶している最新サイズを有する最新のテンプレート画像は、同じユーザが使用する画像という観点においては、当該選択テンプレート画像に関連する画像である。
【０１５９】
操作Ｕが行われた場合、サイズ調整処理が行われる。サイズ調整処理では、サイズ調整部１０６が、選択テンプレート画像（最新の画像）のサイズを、記憶部１２０に記憶されている最新サイズと同じにする。例えば、選択テンプレート画像のサイズが、記憶部１２０に記憶されている最新サイズより大きい場合、サイズ調整部１０６は、選択テンプレート画像のサイズが最新サイズと同じになるように、選択テンプレート画像のサイズを縮小する。
【０１６０】
次に、画像編集処理Ｄが行われる。画像編集処理Ｄでは、画像編集制御部１０８が、サイズが調整された選択テンプレート画像を、印刷対象画像に付加（合成）する。以上により、画像表示処理Ｄは終了する。
【０１６１】
以上の画像表示処理Ｄにより、例えば、１つ前にユーザが使用したテンプレート画像のサイズが「小」である場合、次にユーザが使用するテンプレート画像のサイズも「小」に自動で変更される。
【０１６２】
以上説明したように、本実施の形態によれば、一度使用したテンプレート画像のサイズを記憶しておき、次に使用するテンプレート画像のサイズを、記憶されたサイズと同一にする。これにより、ユーザが画像にテンプレート画像を付加する際に、何度も同じ作業を繰り返すことを防ぐことができる。すなわち、同じ操作の繰り返しを削減できる。したがって、画像編集の作業効率をあげることができる。すなわち、ユーザは、画像の編集をスムーズに行うことができる。
【０１６３】
なお、本実施の形態に係るプリント端末１００は、図１に示される全ての構成要素を含まなくてもよい。例えば、本実施の形態に係るプリント端末１００の制御部１１０は、認識部１０３およびユーザ情報取得部１０４は含まなくてもよい。
【０１６４】
なお、本実施の形態の処理は、実施の形態１、実施の形態１の変形例１、実施の形態１の変形例２等に適用可能である。
【０１６５】
例えば、本実施の形態の処理を、実施の形態１の画像表示処理に適用した処理（以下、画像表示処理Ｎ３ともいう）が行われてもよい。
【０１６６】
画像表示処理Ｎ３では、図１のステップＳ１０１，Ｓ１１０の処理が行われる。その後、ユーザによりテンプレート画像が選択された後、前述のサイズ調整処理が行われる。以下においては、サイズ調整処理によりサイズの調整が行われた最新のテンプレート画像を、調整後テンプレート画像ともいう。そして、図１のステップＳ１２０の並び換え処理Ｎにおいて、関連テンプレート画像を、調整後テンプレート画像と置き換えた処理（以下、並び換え処理Ｎ３ともいう）が行われる。
【０１６７】
並び換え処理Ｎ３では、並び換え部１０７が、ユーザが使用したテンプレート画像と関連する調整後テンプレート画像を、表示部１５０が優先的に表示するように、表示部１５０が表示するテンプレート画像の並びを換える処理を行う。なお、当該処理の詳細は、実施の形態１と同様である。
【０１６８】
（その他の変形例）
以上、本発明に係るプリント端末について、実施の形態に基づいて説明したが、本発明は、これら実施の形態に限定されるものではない。本発明の主旨を逸脱しない範囲内で、当業者が思いつく変形を本実施の形態に施したものも、本発明に含まれる。つまり、本発明は、その発明の範囲内において、実施の形態、実施の形態の変形例を自由に組み合わせたり、実施の形態、実施の形態の変形例を適宜、変形、省略することが可能である。
【０１６９】
また、プリント端末１００は、図１に示される全ての構成要素を含まなくてもよい。すなわち、プリント端末１００は、本発明の効果を実現できる最小限の構成要素のみを含めばよい。
【０１７０】
また、本発明は、プリント端末１００が備える特徴的な構成部の動作をステップとする画像表示方法として実現してもよい。また、本発明は、当該画像表示方法に含まれる各ステップをコンピュータが実行してもよい。また、本発明は、そのような画像表示方法に含まれる各ステップをコンピュータに実行させるプログラムとして実現してもよい。また、本発明は、そのようなプログラムを格納するコンピュータ読み取り可能な記録媒体として実現されてもよい。また、当該プログラムは、インターネット等の伝送媒体を介して配信されてもよい。
【０１７１】
上記実施の形態で用いた全ての数値は、本発明を具体的に説明するための一例の数値である。すなわち、本発明は、上記実施の形態で用いた各数値に制限されない。
【０１７２】
また、本発明に係る画像表示方法は、図２、図６または図８のフローチャートの一部または全てに相当する。本発明に係る画像表示方法は、図２、図６または図８における、対応する全てのステップを必ずしも含む必要はない。すなわち、本発明に係る画像表示方法は、本発明の効果を実現できる最小限のステップのみを含めばよい。
【０１７３】
また、画像表示方法における各ステップの実行される順序は、本発明を具体的に説明するための一例であり、上記以外の順序であってもよい。また、画像表示方法におけるステップの一部と、他のステップとは、互いに独立して並列に実行されてもよい。
【０１７４】
なお、本発明は、その発明の範囲内において、実施の形態、実施の形態の変形例を自由に組み合わせたり、実施の形態、実施の形態の変形例を適宜、変形、省略することが可能である。
【符号の説明】
【０１７５】
１００  プリント端末、１０１  テンプレート処理部、１０２  画像読み込み部、１０３  認識部、１０４  ユーザ情報取得部、１０６  サイズ調整部、１０７  並び換え部、１０８  画像編集制御部、１１０  制御部、１２０  記憶部、１５０  表示部。
【図１】
2014123868.tif 000003
【図２】
2014123868.tif 000004
【図３】
2014123868.tif 000005
【図４】
2014123868.tif 000006
【図５】
2014123868.tif 000007
【図６】
2014123868.tif 000008
【図７】
2014123868.tif 000009
【図８】
2014123868.tif 000010
【図９】
2014123868.tif 000011